(57)【要約】【課題】省スペースを図りながら、メインテナンス性のよい、着実にカードに読み込みまたは情報の書き込みをおこなうことができる回転機構付き搬送路を有するＩＣカード発行装置。【解決手段】ＩＣカードリーダーライターを有するカード発行装置であって、ＩＣカードリーダーライターを上下に動かす機構を有することを特長とするカード発行装置。カードを供給するカード供給部と、カード供給部からカードが挿入されカードを搬送する回転機構付き搬送路を有することを特長とする前記カード発行装置。ＩＣカードリーダーライターを上下に動かす機構によって、ＩＣカードリーダーライター側に、搬送系を持たすことなしに、着実な、ＩＣカードへの読み込みや情報の書き込みが行える。【選択図】図１
2019101898.tif 000002
【特許請求の範囲】
【請求項１】
ＩＣカードリーダーライターを有するカード発行装置であって、
ＩＣカードリーダーライターをカード挿入方向に動かす機構を有することを特長とするカード発行装置。
【請求項２】
カードを供給するカード供給部と、カード供給部からカードが挿入されカードを搬送する回転機構付き搬送路を有することを特長とする請求項１記載のカード発行装置。
【請求項３】
搬送ローラーを有し、前記搬送ローラーがごみおよび汚れを除去するクリーニング機構付きローラーであることを特長とする請求項１および請求項２記載のカード発行装置。
【発明の詳細な説明】
【技術分野】
【０００１】
本発明は、ＩＣカードリーダーライター装置を有するカード発行装置に係り、特に、ＩＣリーダーライター装置へのカード挿入不足を防止することができるものに関する。
【背景技術】
【０００２】
ＩＣカードや磁気カードなどのカード発行装置は、カードに情報を記録、印刷するものであり、カードを発行装置へ供給する機構と、カードに情報を記録する情報記録装置と、カードの表面及び裏面に印刷する装置と、カードを排出する機構とで構成される（たとえば、特許文献１参照）。近年、接触ＩＣカード、非接触ＩＣカードや磁気カードなどに対する記録手段が増え、それらを盛り込もうとするとカード発行装置が大きくなる傾向にある。
【０００３】
そこで、装置をコンパクトにするために、カード供給機構と情報記録装置の間に回転機構付き搬送路を有するものがある。ここでは、接触型ＩＣカードの発行装置で説明する。
【０００４】
図５は従来のカード発行装置２００の構造を示す概略図である。搬送路に回転機構を付けた回転機構付き搬送路３０を備えることにより、供給されたカード１０が、複数の情報記録装置に、搬送することが可能になる。回転機構付き搬送路３０の入口（カード供給装置側）にセンサ４を置き、カードの供給部２０から回転機構付き搬送路３０にカード１０の到着検知を行い、回転機構付き搬送路３０の出口（情報記録装置であるＩＣカードリーダーライター６０側）にセンサ７が置かれ、それらを使用してＩＣカードリーダーライター６０への搬送のタイミングの制御を行って、カード搬送を行う。
【０００５】
回転機構付き搬送路３０によりＩＣカードリーダーライター６０にカード１０を搬送し、カード１０の挿入を実施し、カード読み込みまたは書き込みを実施する。
【０００６】
省スペースのために、ＩＣカードリーダーライター６０は、ＩＣカードリーダーライター６０内に搬送機構を持たない。ＩＣカードリーダーライター６０は単独の使用にあたっては、入り口にカードを手差しで挿入するタイプのものである。
【０００７】
カード発行装置の搬送機を使用して、ＩＣカードリーダーライターへのカードの挿入を行う形態ではＩＣカードリーダーライターに搬送機構がないためカード発行装置は省スペースを図れるが、カード発行装置２００の回転機構付き搬送路３０の汚れにより、搬送力が低下し、ＩＣカードリーダーライター内のＩＣ接触端子へカードを運ぶことができなくなり、情報の読み込みまたは書き込みができなくなるという事態が発生することがある。搬送力が低下しないよう頻度の高いメイテンナンスが必要であった。
【０００８】
また、図６のように、ＩＣカードリーダーライター７０の入り口にカード搬送機構８０を設けたカード発行装置３００もある。回転機構付き搬送路３０によるＩＣカードリーダーライターへのカード挿入を行わないので、回転機構付き搬送路３０の汚れによる、搬送能力の低下を起こさないが、カード搬送機構８０の設置により、カード発行装置が大きくなってしまっていた。
【先行技術文献】
【特許文献】
【０００９】
【特許文献１】特開２０１３−２９９６６号公報
【発明の概要】
【発明が解決しようとする課題】
【００１０】
図５のように、省スペースであっても、搬送路の汚れにより、ＩＣカードリーダーライターへのカードの挿入に支障をきたし、読み込みまたは書き込みができなくなる不具合を起こすことがあり、それを回避するために頻度が高いメインテナンスが必要であった。
【００１１】
また図６のように、ＩＣカードリーダーライターの入り口側に、搬送機構を設け、カード発行装置が大きくなる支障があった。
【００１２】
本発明は、頻繁なるメインテナンスを要せず、カード発行装置の容積を大きくすることなく、ＩＣカードリーダーライターへのＩＣカードの挿入を着実に行う装置を提供することを目的する。
【課題を解決するための手段】
【００１３】
本発明は上記課題を解決するためになされたもので、請求項１に係る発明は、ＩＣカードリーダーライターを有するカード発行装置であって、ＩＣカードリーダーライターをカード挿入方向に動かす機構を有することを特長とするカード発行装置である。
【００１４】
請求項２に係る発明は、カードを供給するカード供給部と、カード供給部からカードが挿入されカードを搬送する回転機構付き搬送路を有することを特長とする請求項１記載のカード発行装置である。
【００１５】
請求項３に係る発明は、搬送ローラーを有し、前記搬送ローラーがごみおよび汚れを除去するクリーニング機構付きローラーであることを特長とする請求項１および請求項２記載のカード発行装置である。
【発明の効果】
【００１６】
本発明は、搬送機構を持たないＩＣカードリーダライターをカード挿入方向とその反対方向に動かして、カードを挿抜することにより、コンパクト化が図られ、メインテナンスが少ない頻度で良く、ＩＣカードリーダライターのＩＣカードの接触不良による読み込み不良や書き込み不良を無くし、安定的な読み込みや書き込みを可能にするカード発行装置を提供することができる。
【図面の簡単な説明】
【００１７】
【図１】は本発明の実施形態におけるカード発行装置の概略構成を示す断面図である。
【図２】は本発明の実施形態におけるカード発行装置のＩＣカードリーダーライター昇降機の概略構成を示す図であり、図２（ａ）は正面図、図２（ｂ）は側面図である。
【図３】は本発明の実施形態に係るカード発行装置のカード搬送の動作を説明する断面図である（その１）。
【図４】は本発明の実施形態に係るカード発行装置のカード搬送の動作を説明する断面図である（その２）。
【図５】は従来のカード発行装置の概略構成を示す断面図である。
【図６】は従来のカード発行装置の概略構成を示す断面図である。
【発明を実施するための形態】
【００１８】
以下、本発明の実施形態のカード発行装置について添付図面を参照して説明する。
【００１９】
図１は本発明の実施形態におけるカード発行装置の概略構成を示す断面図である。
【００２０】
カード発行装置１００は、カード１０を供給するカード供給部２０と、カード供給部２０からカード１０が挿入されカード１０を搬送する回転機構付き搬送路３０と、カード１０に情報が書き込まれるＩＣカードリーダーライター４０とＩＣカードリーダーライター昇降機５０と、
カード供給部２０出口で回転機構付き搬送路３０前に設置される、カード１０の端を検出するセンサ４と、
カード供給部２０からの回転機構付き搬送路３０へのカード搬送や回転機構付き搬送路３０におけるカードの搬送と回転を制御し、センサ４の信号を検知する制御部（不図示）と、を備える。
【００２１】
さらに、カード発行装置１００における詳細な構成を説明する。
【００２２】
カード供給部２０のストッカー部にカード１０を置き、カードは図示されない機構で、搬送ローラー１に押される。搬送ローラー１が回転すると最前にあって搬送ローラー１に接していたカード１０は、回転機構付き搬送路３０の方に搬送される。
【００２３】
カード供給部２０の出口側には、センサ３とセンサ４があり、その間に搬送ローラー２がある。
【００２４】
図１で示されるようにセンサ３は、投光側センサと受光側センサからなり、投光側センサ投光面中心から、受光センサの受光面の中心位置に向かって進む光があって、カードが搬送されセンサ間の光軸をよぎって、光が非遮光から遮光された時にカード１０の先端をとらえたと判断し、また光が遮光から非遮光になったときにカード１０の後端がとらえられたとする。
【００２５】
搬送ローラー２は、図１において示すように１対のローラーであり、片方のローラーが駆動ローラーで、もう片方はニップローラーであり、ローラー間にカード１０を挟みこんで搬送するものであり、ここでは図１の右側が駆動ローラーであるとする。
【００２６】
搬送ローラー２は、ごみ及び汚れ除去用のクリーニング機構付きローラーでもよい。
【００２７】
回転機構付き搬送路３０は、搬送ローラー５と搬送ローラー６を内部に有し、搬送ローラー５は、図１において示すように1対のローラーであり、片方のローラーが駆動ローラーで、もう片方はニップローラーであり、ローラー間にカードを挟みこんで搬送するものであり、ここでは図１の右側が駆動ローラーである。また搬送ローラー６も同様である。
【００２８】
回転機構付き搬送路３０は、回転機構付き搬送路３０の回転中心を回りに回転でき、カード１を搬送ローラー５ないし搬送ローラー６に挟んだ状態でも、回転できる。回転機構付き搬送路３０の回転は、回転中心軸上にある駆動装置（不図示）と駆動軸に直結されたエンコーダ（不図示）による回転角パルスの計数により行われる。パルス数の計数はカウンタ（不図示）によって行われる。
【００２９】
図２は本発明の実施形態におけるカード発行装置のＩＣカードリーダーライター昇降機の概略構成を示す図であり、図２（ａ）は正面図、図２（ｂ）は側面図である。
【００３０】
図１におけるＩＣカードリーダーライター昇降機５０の概略構成を説明したのが図２である。
【００３１】
ＩＣカードリーダーライター昇降機５０は、ＩＣカードリーダーライター固定治具５５
とボールネジ５１とモーター５２を有する。ＩＣカードリーダーライター固定治具５５はＩＣカードリーダーライター４０を固定する治具であり、ボールネジ５１が接続し、ボールネジ５１はモーター５２の回転軸に連結されている。
【００３２】
制御部の指示により、モーター５２の回転軸が回転し、ボールネジ５１も回転しＩＣカードリーダーライター固定治具５５下部のねじうけ部で、ボールネジ５１の回転を受け、ＩＣカードリーダーライター固定治具５５の上昇、下降を行う。
【００３３】
不図示の制御部は、カード供給部２０の搬送ローラー１、センサ３、搬送ローラー２の駆動装置とエンコーダ、センサ４、回転機構付き搬送路３０の回転駆動装置とエンコーダと搬送ローラー５と搬送ローラー６の駆動装置とエンコーダ、センサ７とＩＣカードリーダーライター４０制御部（不図示）とＩＣカードリーダーライター昇降機５０制御部（不図示）とカード排出部制御部（不図示）に接続されており、下記の動作を制御する。
【００３４】
＜動作＞
カード１０のＩＣカードリーダーライター４０への供給、情報の読み込みまたは書き込み動作を説明する。
【００３５】
図３、図４は本発明の実施形態に係るカード発行装置のカード搬送の動作を説明する断面図である。
１）カード供給部２０のストッカー部に置かれたカード１０を搬送ローラー１で装置内へ搬送し、搬送ローラー２で回転機構付き搬送路３０へ搬送する（図１）。
２）搬送ローラー１と搬送ローラー２によって、回転機構付き搬送路３０内にある、搬送ローラー５と搬送ローラー６にカード１０が到達したら、搬送ローラー５と搬送ローラー６で一定速度でカード１０をＩＣカードリーダーライター４０へ搬送する（図３（ａ））。
３）ＩＣカードリーダーライター４０にカード１０が挿入される（図３（ｂ））。
４）ＩＣカードリーダーライター４０をＩＣカードリーダーライター昇降機５０（図３，４では不図示）によって、上昇させ、カード１０の端子とＩＣカードリーダーライター４０の接続端子を確実に接続させる（図４（ａ））。ここで、カード１０に情報の読み込みまたは書き込み動作を行う。
５）カード１０に情報の読み込みまたは書き込み動作終了後、ＩＣカードリーダーライター４０をＩＣカードリーダーライター昇降機５０（図３，４では不図示）によって、下降させ、元の位置に戻る（図４（ｂ））。
６）カード１０を搬送ローラー６と搬送ローラー５によって回転機構付き搬送路３０へ搬送する。
７）次工程へカード１０を搬送する。
【００３６】
以上の動作によって、搬送系の汚れ対策としてのメインテナンスを頻度高く行うことなく、また、ＩＣカードリーダーライターに、搬送機構を設けることなく、安定した、ＩＣカードに対する、読み込みまたは書き込み動作ができる、カード発行装置を提供することができる。
【００３７】
また、さらに、搬送系の搬送ローラーにクリニーング機構を付けることによって、メインテナンス性を向上したカード発行装置を提供することができる。
【符号の説明】
【００３８】
１・・・搬送ローラー
２・・・搬送ローラー
３・・・センサ
４・・・センサ
５・・・搬送ローラー
６・・・搬送ローラー
７・・・センサ
１０・・・カード
２０・・・カード供給部
３０・・・回転機構付き搬送路
４０・・・ＩＣカードリーダーライター
５０・・・ＩＣカードリーダーライター昇降機
５１・・・ボールネジ
５２・・・モーター
５５・・・ＩＣカードリーダーライター固定治具
６０・・・ＩＣカードリーダーライター
７０・・・ＩＣカードリーダーライター
８０・・・カード搬送機構
１００・・・カード発行装置
２００・・・カード発行装置
３００・・・カード発行装置
【図１】
2019101898.tif 000003
【図２】
2019101898.tif 000004
【図３】
2019101898.tif 000005
【図４】
2019101898.tif 000006
【図５】
2019101898.tif 000007
【図６】
2019101898.tif 000008